(57)【特許請求の範囲】
【請求項１】
被滅菌物収納容器の開口を跨ぐようにアームを装架させ、該アームに螺合された軸を回転させることによって、該軸の先端に配設した蓋を前記被滅菌物収納容器の開口に圧接させて前記開口を密閉するようにした高圧蒸気滅菌器において、前記軸の周囲に複数個の突起を形成するとともに、前記アームに係止片を配設し、かつ電磁ソレノイドを機器筐体の内部に配設し、該電磁ソレノイドの作動ロッドを前記アームの回動軸を貫通して配設した操作ロッドを介して前記係止片に連結させ、前記係止片を前記電磁ソレノイドによって作動させて前記突起に係合させ、それによって前記軸の回動を阻止して前記蓋を前記被滅菌物収納容器の開口に当接維持させるようにしたことを特徴とする高圧蒸気滅菌器。
【請求項２】
前記軸を蓋を備えた下部軸と、ハンドルを備え、かつ前記突起を備えた上部軸とに２分割し、前記上部軸を前記下部軸にその周方向に一定の範囲で回動可能に係合させるとともに、スプリングによって前記上部軸を下部軸に対して締め付け方向へ付勢したことを特徴とする請求項１に記載の高圧蒸気滅菌器。
【請求項３】
前記電磁ソレノイドを前記被滅菌物収納容器内の情報に基づいて制御することを特徴とする請求項１または２に記載の高圧蒸気滅菌器。
【発明の詳細な説明】
【０００１】
【産業上の利用分野】
本発明は、高圧蒸気滅菌器に関するもので、詳しくは被滅菌物収納容器の開口を覆う蓋のロック機構に関するものである。
【０００２】
【従来の技術】
高圧蒸気滅菌器は、図４に示したように、被滅菌物収納容器１内に被滅菌物Ａを収納し、蓋２により容器１の開口１ａを密閉し、容器底面１ｂに配設したヒータ３を加熱することによって、該容器底面１ｂの水を蒸発させて、容器１内に高圧蒸気を発生させて所定時間滅菌を行うものである。
【０００３】
この高圧蒸気滅菌器では、被滅菌物収納容器１の開口１ａを跨ぐようにアーム４を装架させ、該アームの略中央に螺合され、その先端に蓋５を有する軸６を回転させることによって、前記蓋５で前記容器１の開口１ａを密閉するようにしている。
【０００４】
【発明が解決しようとする課題】
ところで、このような高圧蒸気滅菌器では、滅菌時に温度が高温，高圧になる。したがって、滅菌時に蓋５を開くと、被滅菌物Ａが容器１外へ飛び出す虞がある。
【０００５】
そこで、本発明の目的は、不用意に蓋を開成することを防止した高圧蒸気滅菌器を提供することにある。
【０００６】
【課題を解決するための手段】
本発明の高圧蒸気滅菌器では、被滅菌物収納容器の開口を跨ぐようにアームを装架させ、該アームに螺合された軸を回転させることによって、該軸の先端に配設した蓋を前記被滅菌物収納容器の開口に圧接させて前記開口を密閉するようにした高圧蒸気滅菌器において、前記軸の周囲に複数個の突起を形成するとともに、前記アームに係止片を配設し、かつ電磁ソレノイドを機器筐体の内部に配設し、該電磁ソレノイドの作動ロッドを前記アームの回動軸を貫通して配設した操作ロッドを介して前記係止片に連結させ、前記係止片を前記電磁ソレノイドによって作動させて前記突起に係合させ、それによって前記軸の回動を阻止して前記蓋を前記被滅菌物収納容器の開口に当接維持させるようにしている。
【０００７】
本発明の高圧蒸気滅菌器によれば、滅菌作業中は係止片が突起に係合して軸の回転を阻止し、滅菌作業完了後は電磁ソレノイドが作動して係止片を突起から開放させる。その後は、ハンドル等を操作して蓋を被滅菌物収納容器の開口から離反させることができる。
【０００８】
【発明の実施の形態】
本発明の高圧蒸気滅菌器では、滅菌作業中は軸をロックして不用意に蓋を開けることができないようにしたもので、軸の周囲に形成した突起に電磁ソレノイドによって作動される係止片を係合させて軸の回動を阻止し、滅菌作業終了後に前記係止片を前記突起から開放して前記軸の回動を可能にしている。
【０００９】
また、本発明の高圧蒸気滅菌器では、機構をコンパクトなものとするため、係止片をアームに配設するとともに、電磁ソレノイドを機器筐体の内部に配設し、該電磁ソレノイドの作動ロッドをアームの回動軸を貫通して配設した操作ロッドを介して前記係止片に連結させるようにしている。
【００１０】
また、前記軸を蓋を備えた下部軸と、ハンドルを備え、かつ前記突起を備えた上部軸とに２分割し、上部軸を下部軸にその周方向に一定の範囲で回動可能に係合させるとともに、スプリング等によって上部軸を下部軸に対して締め付け方向へ付勢すれば、突起が係止片に強く突き当たった状態で係止片がロックされる虞れはなくなるので好ましい。
【００１１】
前記電磁ソレノイドは、操作釦等を操作して手動で作動させてもよいが、蓋が密閉されることによって得られる情報、例えば蓋の位置情報によって作動させてもよい。また、滅菌準備に際して蓋を開けたり閉めたりする動作を繰り返しても、その都度電磁ソレノイドが作動されることがないように、電磁ソレノイドを被滅菌物収納容器内の情報、例えば圧力，温度等によって作動させればより好ましい。
【００１２】
【実施例】
図１および図２は、本発明に係る高圧蒸気滅菌器の蓋開閉機構を示している。この蓋開閉機構では、図２に示したように、機器筐体１０に被滅菌物収納容器１１が配設されている。そして、この被滅菌物収納容器１１の開口１１ａを跨ぐように開口１１ａの上方にアーム１２が配置される。アーム１２の一端には軸受孔１２ａが形成されており、該アーム１２は軸受孔１２ａに挿通させ、さらにスリーブ１３に挿通させた段付きボルト１４によって機器筐体１０に回動自在に支持されている。この段付きボルト１４は、機器筐体１０の内側で座金１５，ナット１６を介して機器筐体１０に固定される。一方、開口１１ａを挟んでボルト１４と反対側の機器筐体１０には、ガイドブロック１７が設置されており、該ガイドブロック１７の側方には凹部１７ａが形成されている。そして、アーム１２の他端は、その凹部１７ａに収容された状態では、上記開口１１ａの中心を跨ぐ状態に位置される。
【００１３】
上記アーム１２の中央にはねじ孔１８が形成されており、該ねじ孔１８には軸１９が螺合される。軸１９は下部軸２０と上部軸２１とに２分割されている。下部軸２０の下端には、蓋２２が回動自在に支持され、上端部には円板２０ａが一体に形成され、円板２０ａの周縁には４つの弧状長孔２３が等間隔に形成されている。さらに、円板２０ａの上方の軸周面には凹部２４が形成されており、円板２０ａの周縁下面の適宜位置にはスプリング掛け２５が突設されている。一方、上部軸２１の下端にも円板２１ａが形成されており、該円板の周縁下面には４本のピン２６が等間隔に植設され、円板２１ａの周縁上面には放射方向に突起２７が形成されている。また、この上部軸２１の下端中心部には孔２８が形成され、円板２１ａの上方の軸周面にはねじ孔２９が形成されている。この円板２１ａの周縁下面の適宜位置にも上記スプリング掛け２５に対応するスプリング掛け３０が突設されている。そして、図２に示したように、上部軸２１はその孔２８を下部軸２０の上端に落とし込むとともに、ピン２６を弧状長孔２３に挿通させ、さらにねじ孔２９にビス３１を螺合挿入し、該ビス３１の先端を溝２４に臨ませて下部軸２０に係合させる。この状態において上部軸２１と下部軸２０とは、ビス３１が溝２４に入り込んで互いの離脱が防止され、またピン２６が長孔２３の長さ範囲で回動が可能な状態にある。さらに、スプリング掛け２５，３０にスプリング３２が装架され、その付勢力によってピン２６が長孔２３の締め付け側端に位置される。
【００１４】
そして、上部軸２１の上端には、ハンドル３３がピン３４等を介して着脱自在に取付けられる。そして、この軸１９はアーム１２のねじ孔１８に螺合されてアーム１２に支持される。
【００１５】
さらに、段付きボルト１４の軸芯には孔３５が貫設されている。そしてこの孔３５には操作ロッド３６が挿通されている。この操作ロッド３６の下方には電磁ソレノイド３７が配置され、該電磁ソレノイド３７は機器筐体１０内に設置されている。そして、上記操作ロッド３６の下端は電磁ソレノイド３７の作動ロッド３７ａに連結されている。一方、操作ロッド３７の上端には係止片３８の一端がピン３９によって連結されている。この係止片３８は、その中間がアーム１２に立設したブラケット１２ｂにピン４０によって回動自在に支持されており、先端に爪４１を備えている。この爪４１は、上部軸２１の円板２１ａに形成した突起２７に係合するもので、内方に傾斜面４１ａを備えている。
【００１６】
このように構成された高圧蒸気滅菌器では、ハンドル３３を反時計方向に回すことによって軸１９を上動させ、それに伴って蓋２２が上方へ移動される。この状態では電磁ソレノイド３７は励磁されており、図２に示したように、係止片３８の爪４１が上方へ位置され、軸１９の突起２７から離反している。
【００１７】
滅菌作業を行う場合には、アーム１２を移動させて蓋２２を被滅菌物収納容器１１の開口１１ａの上方に位置させ、ハンドル３３を時計方向に回動させる。すると、ハンドル３３の操作力は上部軸２１からピン２６，弧状長孔２３を介して下部軸２０に伝達され、下部軸２０が回動される。したがって、軸１９は下方に移動され、その下端の蓋２２を被滅菌物収納容器１１の開口１１ａに圧接させる。
【００１８】
そこで、被滅菌物収納容器１１内に高圧蒸気を発生させて、被滅菌物の滅菌を行う。高圧蒸気が発生し、被滅菌物収納容器１１内の温度が設定温度、例えば１００℃に達したときに、その温度に基づいて電磁ソレノイド３７が消磁され、係止片３８の重力または図示しないスプリング等の付勢力によって、係止片３８の爪４１が降下される。そして、図３（ａ）に示したように、爪４１は突起２７，２７間に落ち込んで軸１９の回動を規制する。なお、係止片３８の爪４１が降下されて、図３（ｂ）に示したように、爪４１が突起２７の上に載置された状態になっている場合には、軸１９を反時計方向に回動させた際に、爪４１が突起２７，２７間に落ち込むため、軸１９のそれ以上の回動は阻止される。また、爪４１が突起２７，２７間に落ち込んだ状態で、さらに軸１９を時計方向へ回動させた場合には、突起２７が爪４１の傾斜面４１ａに当たり、該爪４１を押し上げて回動されるので、軸１９の回動、即ち蓋２２を閉成する方向の移動は妨げられない。
【００１９】
滅菌作業が終了し、被滅菌物収納容器１１内の温度が設定値、例えば１００℃に達すると電磁ソレノイド３７が励磁され、係止片３８の爪４１が上動されて突起２７との係合が解除される。したがって、ハンドル３３を反時計方向に回動させることによって、蓋２２を上動させることができる。
【００２０】
もし、被滅菌物収納容器１１内の温度が設定値以上のときにハンドル３３を反時計方向に回動させると、突起２７が爪４１に突き当たり、それ以上ハンドル３３を回動させることはできない。したがって、被滅菌物収納容器１１内の温度が設定値以上のとき、即ち被滅菌物収納容器１１内の圧力が高い状態のときには、蓋２２を開けることができない。
【００２１】
上記した実施例の高圧蒸気滅菌器では、被滅菌物収納容器１１内の温度が設定値以上のときにハンドル３３を反時計方向に回動させると、突起２７が爪４１に突き当たるが、この状態、即ち突起２７が爪４１に圧接した状態のままである場合には、電磁ソレノイド３７を励磁しても係止片３８の爪４１が上動されない虞がある。しかし、上記した実施例の高圧蒸気滅菌器では、ハンドル３３から手を離すと、スプリング３２の付勢力によって長孔２３の範囲内で上部軸２１が時計方向に回動され、それに伴って突起２７も爪４１から離反されるので、電磁ソレノイド３７が励磁された場合には係止片３８の爪４１が確実に上動される。
【００２２】
【発明の効果】
上記したように、本発明に係る高圧蒸気滅菌器によれば、滅菌作業中は係止片が突起に係合して軸の回転を阻止する。したがって、不用意に蓋を開成することが防止され、被滅菌物が容器外へ飛び出す等の不都合が生じない。
【００２３】
また、本発明に係る高圧蒸気滅菌器によれば、係止片をアームに配設するとともに、電磁ソレノイドを機器筐体の内部に配設しているので、機構がコンパクトになる。
【００２４】
さらに、本発明に係る請求項２の高圧蒸気滅菌器によれば、軸を蓋を備えた下部軸とハンドルを備えた上部軸とに２分割し、上部軸を前記下部軸にその周方向に一定の範囲で回動可能に係合させるとともに、スプリングによって上部軸を下部軸に対して締め付け方向へ付勢しているので、突起が係止片に強く突き当たった状態で係止片がロックされることはなく、係止片の解除動作が保障される。
【００２５】
さらに、本発明に係る請求項３の高圧蒸気滅菌器によれば、電磁ソレノイドを被滅菌物収納容器内の情報、例えば温度に基づいて制御するので、滅菌準備に際して蓋を開けたり閉めたりする動作を繰り返しても、その都度電磁ソレノイドが作動されることがないため、作業性がよい。
【図面の簡単な説明】
【図１】本発明に係る高圧蒸気滅菌器の蓋開閉機構部を示した分解斜視図である。
【図２】本発明に係る高圧蒸気滅菌器の蓋開閉機構部を示した断面図である。
【図３】本発明に係る高圧蒸気滅菌器の爪と突起との係合状態を示した図である。
【図４】従来の高圧蒸気滅菌器を示した概念図である。
【符号の説明】
１０      機器筐体
１１      被滅菌物収納容器
１１ａ    開口
１２      アーム
１２ａ    軸受孔
１２ｂ    ブラケット
１４      段付きボルト
１８      ねじ孔
１９      軸
２０      下部軸
２０ａ    円板
２１      上部軸
２１ａ    円板
２２      蓋
２３      弧状長孔
２４      凹部
２５      スプリング掛け
２６      ピン
２７      突起
２８      孔
２９      ねじ孔
３０      スプリング掛け
３１      ビス
３２      スプリング
３３      ハンドル
３５      孔
３０      操作ロッド
３７      電磁ソレノイド
３８      係止片
３９      ピン
４０      ピン
４１      爪
４１ａ    斜面
【図１】
0003733993.tif 000002
【図２】
0003733993.tif 000003
【図３】
0003733993.tif 000004
【図４】
0003733993.tif 000005